【手続補正書】
【提出日】令和3年4月6日(2021.4.6)
【手続補正１】
【補正対象書類名】明細書
【補正対象項目名】００７４
【補正方法】変更
【補正の内容】
【００７４】
開示された組成物および方法の特定の実施形態が説明されてきたが、他の実施形態も存在し得る。本明細書は詳細な説明を含むが、本発明の範囲は以下の特許請求の範囲によって示される。さらに、本明細書は、構造的特徴および／または方法的作用に特異的な言語で記載されているが、特許請求の範囲は、上述の特徴または作用に限定されない。むしろ、上記の特定の特徴および行為は、組成物および方法の例示的な態様および実施形態として開示される。様々な他の態様、実施形態、修正、およびそれらの等価物は、本明細書の説明の読後、発明の主旨または特許請求される主題の範囲から逸脱することなく当業者には連想され得る。本開示の実施形態の例を以下の項目［１］〜［３０］に列記する。
［１］
除去不可能なコーティングを有するフローリング用のフロアケア組成物であって、前記組成物は、
約１〜約８重量％の樹脂、
約０．０２〜約４０重量％の界面活性剤、および
希釈剤を含む、組成物。
［２］
約０．１〜約２重量％のワックスをさらに含む、項目１に記載の組成物。
［３］
前記ワックスが、ポリエチレンワックスエマルジョンである、項目２に記載の組成物。
［４］
前記樹脂が、アクリルコポリマーエマルジョンである、項目１〜３のいずれか一項に記載の組成物。
［５］
前記界面活性剤が、アルコールエトキシレートである、項目１〜４のいずれか一項に記載の組成物。
［６］
前記希釈剤が、有機溶媒および水のうちの少なくとも１つを含む、項目１〜５のいずれか一項に記載の組成物。
［７］
前記有機溶媒が、グリコールエーテルを含む、項目６に記載の組成物。
［８］
前記界面活性剤が、可塑剤として作用し、前記組成物が他の可塑剤を含まない、項目１〜７のいずれか一項に記載の組成物。
［９］
前記アルコールエトキシレートが、他の可塑剤の非存在下で、可塑剤として作用するのに有効な濃度で存在する、項目５に記載の組成物。
［１０］
前記アルコールエトキシレートが、前記組成物の約０．０２〜約２５重量％で存在する、項目５または９に記載の組成物。
［１１］
前記アルコールエトキシレートが、ゲルベアルコールである、項目５に記載の組成物。
［１２］
前記アルコールエトキシレートが、分岐アルコールエトキシレートである、項目５に記載の組成物。
［１３］
前記組成物が、約０．００５〜約０．５重量％のシリコーンエマルジョンをさらに含む、項目１〜１２のいずれか一項に記載の組成物。
［１４］
前記界面活性剤が、フッ素系界面活性剤である、項目１に記載の組成物。
［１５］
前記組成物が、ウレタンを含まない、項目１〜１４のいずれか一項に記載の組成物。
［１６］
ヒドロトロープをさらに含む、項目１〜１５のいずれか一項に記載の組成物。
［１７］
前記ヒドロトロープが、前記組成物の約０．００５〜約７％を構成する、項目１６に記載の組成物。
［１８］
除去不可能なコーティングを有する床を修復する方法であって、前記方法は、
フロアケア組成物を前記床に塗布することを含み、前記フロアケア組成物が、
ワックス、
樹脂、
一つ又は複数の界面活性剤、および
希釈剤、を含み、
前記フロアケア組成物を前記床に塗布することが、６０°で測定した前記床の光沢を、３ポイントを超えて増加させない、方法。
［１９］
前記フロアケア組成物を前記床に塗布することが、１０回連続塗布後に、６０°で測定した前記床の光沢を、５ポイントを超えて増加させない、項目１８に記載の方法。
［２０］
前記フロアケア組成物の前記連続塗布が毎日塗布される、項目１９に記載の方法。
［２１］
前記方法が、前記フロアケア組成物の硬化を含まない、項目１８〜２０のいずれか一項に記載の方法。
［２２］
前記フロアケア組成物が、モップがけ、ブラッシング、拭き取り、吹き付け、もしくは流し込みによって、または機械を用いて塗布される、項目１８〜２１のいずれか一項に記載の方法。
［２３］
前記床が、ポリ塩化ビニル、ポリウレタン、またはＵＶコーティングされたポリウレタンの最上層を含む、項目１８〜２２のいずれか一項に記載の方法。
［２４］
前記組成物が、一時的なコーティングを提供する、項目１８〜２３のいずれか一項に記載の方法。
［２５］
前記フロアケア組成物が、ワックスをさらに含む、項目１８〜２４のいずれか一項に記載の方法。
［２６］
前記希釈剤が、水を含む、項目１８〜２５のいずれか一項に記載の方法。
［２７］
前記希釈剤が、有機溶媒をさらに含む、項目２６に記載の方法。
［２８］
前記組成物が、
約０．００１〜約０．１重量％のポリエチレンワックスエマルジョン、
約０．０１〜約０．５重量％のアクリルコポリマーエマルジョン、
約０．００５〜約０．５重量％のアルコールエトキシレート、および
約０．００１〜約０．１重量％のグリコールエーテル溶媒、を含む、項目１８〜２７のいずれか一項に記載の方法。
［２９］
積層床を修復する方法であって、前記方法は、
フロアケア組成物を前記積層床に塗布することを含み、前記フロアケア組成物が、
ワックス、
樹脂、
一つ又は複数の界面活性剤、
溶媒、および
水、を含み、
前記フロアケア組成物を前記積層床に５回連続で塗布することが、２μｍ未満の厚さの層の蓄積をもたらす、方法。
［３０］
床を洗浄する方法であって、前記方法は、組成物を前記床に塗布することを含み、前記組成物が、
約０．００１〜約０．１重量％のポリエチレンワックスエマルジョン、
約０．０１〜約０．５重量％のアクリルコポリマーエマルジョン、
約０．００５〜約０．５重量％のアルコールエトキシレート、
約０．００１〜約０．１重量％のグリコールエーテル溶媒、および
水、を含む、方法。
【手続補正２】
【補正対象書類名】特許請求の範囲
【補正対象項目名】全文
【補正方法】変更
【補正の内容】
【特許請求の範囲】
【請求項１】
フロアケア組成物であって、前記組成物は、
１〜８重量％の樹脂、
０．０２〜４０重量％の界面活性剤、および
希釈剤を含む、組成物。
【請求項２】
０．１〜２重量％のワックスをさらに含む、請求項１に記載の組成物。
【請求項３】
前記ワックスが、ポリエチレンワックスエマルジョンである、請求項２に記載の組成物。
【請求項４】
前記樹脂が、アクリルコポリマーエマルジョンである、請求項１〜３のいずれか一項に記載の組成物。
【請求項５】
前記樹脂は、５００〜２０００の分子量を有するポリマーである、請求項１〜４のいずれか一項に記載の組成物。
【請求項６】
前記樹脂は、天然樹脂、５００〜２０００の分子量を有するポリマー、又はこれらの組み合わせから選択される、請求項１〜４のいずれか一項に記載の組成物。
【請求項７】
前記界面活性剤が、アルコールエトキシレートである、請求項１〜６のいずれか一項に記載の組成物。
【請求項８】
前記希釈剤が、有機溶媒および水のうちの少なくとも１つを含む、請求項１〜７のいずれか一項に記載の組成物。
【請求項９】
前記有機溶媒が、グリコールエーテルを含む、請求項８に記載の組成物。
【請求項１０】
前記界面活性剤が、可塑剤として作用し、前記組成物が他の可塑剤を含まない、請求項１〜９のいずれか一項に記載の組成物。
【請求項１１】
前記アルコールエトキシレートが、他の可塑剤の非存在下で、可塑剤として作用するのに有効な濃度で存在する、請求項７に記載の組成物。
【請求項１２】
前記アルコールエトキシレートが、前記組成物の０．０２〜２５重量％で存在する、請求項７又は１１に記載の組成物。
【請求項１３】
前記アルコールエトキシレートが、ゲルベアルコール又は分岐アルコールエトキシレートである、請求項７に記載の組成物。
【請求項１４】
前記組成物が、０．００５〜０．５重量％のシリコーンエマルジョンをさらに含む、請求項１〜１３のいずれか一項に記載の組成物。
【請求項１５】
前記界面活性剤が、フッ素系界面活性剤である、請求項１〜１４のいずれか一項に記載の組成物。
【請求項１６】
前記組成物が、ウレタンを含まない、請求項１〜１５のいずれか一項に記載の組成物。
【請求項１７】
ヒドロトロープをさらに含む、請求項１〜１６のいずれか一項に記載の組成物。
【請求項１８】
前記ヒドロトロープが、前記組成物の０．００５〜７％を構成する、請求項１７に記載の組成物。
【請求項１９】
床を洗浄又は修復する方法であって、前記方法は、
フロアケア組成物を前記床に塗布することを含み、前記フロアケア組成物が、
ワックス、
樹脂、
一つ又は複数の界面活性剤、および
希釈剤、を含む、方法。
【請求項２０】
前記フロアケア組成物を前記床に塗布することが、６０°で測定した前記床の光沢を、３ポイントを超えて増加させない、請求項１９に記載の方法。
【請求項２１】
前記フロアケア組成物を前記床に塗布することが、１０回連続塗布後に、６０°で測定した前記床の光沢を、５ポイントを超えて増加させない、請求項１９に記載の方法。
【請求項２２】
前記フロアケア組成物の前記連続塗布が毎日塗布される、請求項２１に記載の方法。
【請求項２３】
前記フロアケア組成物を５回連続で前記床に塗布することは、２μｍ未満の厚さの層の蓄積をもたらす、請求項１９に記載の方法。
【請求項２４】
前記方法が、前記フロアケア組成物の硬化を含まない、請求項１９〜２３のいずれか一項に記載の方法。
【請求項２５】
前記フロアケア組成物が、モップがけ、ブラッシング、拭き取り、吹き付け、もしくは流し込みによって、または機械を用いて塗布される、請求項１９〜２４のいずれか一項に記載の方法。
【請求項２６】
前記床が、ポリ塩化ビニル、ポリウレタン、またはＵＶコーティングされたポリウレタンの最上層を含む、請求項１９〜２５のいずれか一項に記載の方法。
【請求項２７】
前記組成物が、一時的なコーティングを提供する、請求項１９〜２６のいずれか一項に記載の方法。
【請求項２８】
前記希釈剤が、水を含む、請求項１９〜２７のいずれか一項に記載の方法。
【請求項２９】
前記希釈剤が、有機溶媒をさらに含む、請求項２８に記載の方法。
【請求項３０】
前記組成物が、
０．００１〜０．１重量％のポリエチレンワックスエマルジョン、
０．０１〜０．５重量％のアクリルコポリマーエマルジョン、
０．００５〜０．５重量％のアルコールエトキシレート、および
０．００１〜０．１重量％のグリコールエーテル溶媒、を含む、請求項１９〜２９のいずれか一項に記載の方法。